(57)【要約】【課題】仮設トイレの入口を見る方向に依存することなく目隠ししつつ、仮設トイレの設置環境に応じて全体の大きさを調整することが可能な仮設トイレ用目隠しユニットの提供。【解決手段】仮説トイレ用目隠しユニット１は、支柱ユニット２と、支柱ユニット２に対して取り外し可能に構成される囲いユニット３とを備える。支柱ユニット２は、底板２１と支柱２３と支持棒２５とを有する。囲いユニット３は、正面板３Ｆと左右の側板３Ｌ，３Ｒとを有する。正面板３Ｆの上端は支柱ユニット２の上端と略同じ位置にある一方、正面板３Ｆの下端は支柱ユニット２の下端よりも高い位置にある。左右の側板３Ｌ，３Ｒの上端は正面板３Ｆの上端と略同じ位置にある一方、左右の側板３Ｌ，３Ｒの下端は正面板３Ｆの下端よりも高い位置にある。支柱ユニット２は、底板２１の上面に仮設トイレ４が載置されて固定される。【選択図】図１
2019127700.tif 000002
【特許請求の範囲】
【請求項１】
仮説トイレ用目隠しユニットであって、
支柱ユニットと、
前記支柱ユニットに対して取り外し可能に構成される囲いユニットと、
を備え、
前記支柱ユニットは、
底板と、
前記底板から上方に延びる一対の支柱と、
を有し、
前記囲いユニットは、
前記支柱ユニットに取り付けられた状態において、仮設トイレの入口側に空間を隔てて対向する正面板と、
前記正面板の左右端から前記仮設トレイに向かって略垂直に延びる左右の側板と、
を有し、
前記正面板の上下方向の長さは前記一対の支柱の上下方向の長さよりも短く、
前記左右の側板の上下方向の長さは前記正面板の上下方向の長さよりも短く、
前記囲いユニットが前記支柱ユニットに取り付けられた状態において、前記正面板の上端は前記一対の支柱の上端と略同じ位置にある一方、前記正面板の下端は前記一対の支柱の下端よりも高い位置にあり、前記左右の側板の上端は前記正面板の上端と略同じ位置にある一方、前記左右の側板の下端は前記正面板の下端よりも高い位置にあり、
前記支柱ユニットは、前記底板の上面に前記仮設トイレが載置されて固定され、
前記囲いユニットは、前記左右の側板のうち前記正面板とは反対側の各端部が前記一対の支柱に装着されて前記支柱ユニットに取り付けられることを特徴とする仮説トイレ用目隠しユニット。
【請求項２】
前記底板は２枚に分かれており、
前記一対の支柱は、各底板から上方に延びることを特徴とする請求項１に記載の仮設トイレ用目隠しユニット。
【請求項３】
前記囲いユニットが前記支柱ユニットに取り付けられた状態において、前記正面板の上下方向の長さは、前記囲いユニットの内側に存在する利用者を正面から見た場合に前記利用者の少なくとも上半身を遮蔽することが可能な長さを有し、前記左右の側板の上方方向の長さは、当該利用者を左右側方から見た場合に前記利用者の少なくとも胸部から上側を遮蔽することが可能な長さを有することを特徴とする請求項１又は２に記載の仮設トイレ用目隠しユニット。
【請求項４】
前記左右の側板の下方には、目隠し用シートが設けられ、
前記目隠し用シートの上端は、前記左右の側板の下端に対して前記目隠し用シートが揺動可能になるように接続され、
前記目隠し用シートの下端は、前記正面板の下端と略同じ位置にあり、
前記目隠し用シートの下端には、前記目隠し用シートを張った状態に保つためのおもりが設けられていることを特徴とする請求項１から３のうち何れかに記載の仮設トイレ用目隠しユニット。
【請求項５】
前記目隠し用シートには、上下方向のスリットが少なくとも１つ形成されていることを特徴とする請求項４に記載の仮設トイレ用目隠しユニット。
【請求項６】
前記正面板及び前記左右の側板は、穴が形成されたメッシュ構造を有することを特徴とする請求項１から５のうち何れかに記載の仮設トイレ用目隠しユニット。
【請求項７】
前記一対の支柱の上端側と前記仮設トイレ用目隠しユニットの外部に位置する固定位置とを連結するワイヤーと、
前記ワイヤーの長さ又は張力を調整する調整部と、
をさらに備えることを特徴とする請求項１から６のうち何れかに記載の仮設トイレ用目隠しユニット。
【請求項８】
請求項１から７のうち何れかに記載の仮設トイレ用目隠しユニットを仮設トイレに取り付ける、仮設トイレ用目隠しユニットの取付方法であって、
前記支柱ユニットが設置場所に配置され、
前記仮設トイレが前記底板の上面に載置され且つ前記一対の支柱の間に配置され、
前記左右の側板のうち前記正面板とは反対側の各端部が前記一対の支柱に装着されて取り付けられることを特徴とする、仮設トイレ用目隠しユニットの取付方法。
【請求項９】
請求項１から７のうち何れかに記載の仮設トイレ用目隠しユニットを仮設トイレとともに運搬する、仮設トイレ用目隠しユニットの運搬方法であって、
前記囲いユニットが取り付けられていない状態の前記支柱ユニットが運搬台に載置され、
前記仮設トイレが前記支柱ユニットの前記底板の上面に載置され、
前記支柱ユニットに取り付けられる状態とは上下逆転した状態の前記囲いユニットが前記仮設トイレの外側に配置されて運搬されることを特徴とする、仮設トイレ用目隠しユニットの運搬方法。
【発明の詳細な説明】
【技術分野】
【０００１】
本発明は、仮設トイレの技術分野に関し、より詳細には、仮設トイレの入口付近を目隠しするための仮設トイレ用目隠しユニットに関する。
【背景技術】
【０００２】
従来、建設現場においては、作業者等によって使用される仮設トイレが広く利用されている（特許文献１参照）。
【０００３】
また、近年、建設現場を男女ともに働きやすい環境とする取り組みが国土交通省の主導で進められている。その一環として、男女ともに快適に使用できる仮設トイレを「快適トイレ」と総称し、平成２８年１０月１日以降に入札手続きを開始する土木工事から導入されている。
【０００４】
これに関連して「快適トイレ」の標準仕様が国土交通省によって示されている。標準仕様を満たしたトイレは「快適トイレ」として認められる。標準仕様では、「快適トイレ」のみならず、「快適トイレ」の付属品（付帯設備）についても仕様が策定されている。その中の１つに「入口の目隠しの設置（男女別トイレ間も含め入口が直接見えないような配置等）」という仕様がある。かかる仕様によれば、「快適トイレ」として認められるためには、仮設トイレの入口が直接見えないように目隠しすることが求められる。
【０００５】
仮設トイレの入口を目隠しする技術としては、目隠し機能を備えた仮設トイレ設備が提案されている（特許文献２参照）。特許文献２においては、独立パネル（１２２）が仮設トイレ（１０）の正面方向にスライドし（特許文献２の図１参照）、仮設トイレ（１０）の使用時において目隠しとして機能することが開示されている。
【先行技術文献】
【特許文献】
【０００６】
【特許文献１】特開２０１２−５７３８４号公報
【特許文献２】特許第６２２４８６３号公報
【発明の概要】
【発明が解決しようとする課題】
【０００７】
しかし、特許文献２に記載の発明では、仮設トイレを正面から見た場合には当該仮設トイレの入口が目隠し可能であるものの、正面に対して左側方から見た場合には入口が丸見えの状態になり（特許文献２の図１参照）、目隠し機能としては必ずしも十分でない。
【０００８】
また、仮設トイレは様々な場所で用いられるため、十分な設置スペースを常に確保できるとは限らない。例えば、図１０に示すように、車道９の側方の限られたスペース１０に仮設トイレを配置しなければならない状況が想定される。図１０の例では、スペース１０は車道と立ち並ぶ木々との間の比較的狭い領域であり、仮設トイレの設置スペースが限定される。
【０００９】
この点、特許文献２に記載の発明では、独立パネル（１２２）を正面方向にスライドさせるため、仮設トイレの正面方向（奥行き方向）に所定の長さを要する。したがって、設置環境（例えば狭小場所）によっては仮設トイレを設置できない可能性もある。
【００１０】
そこで本発明は、仮設トイレの入口を見る方向に依存することなく目隠ししつつ、仮設トイレの設置環境に応じて全体の大きさを調整することが可能な仮設トイレ用目隠しユニットを提供することを目的とする。
【課題を解決するための手段】
【００１１】
上記目的を達成するために、本発明は、仮設トイレ用目隠しユニットであって、支柱ユニットと、前記支柱ユニットに対して取り外し可能に構成される囲いユニットとを備え、前記支柱ユニットは、底板と、前記底板から上方に延びる一対の支柱とを有し、前記囲いユニットは、前記支柱ユニットに取り付けられた状態において、仮設トイレの入口側に空間を隔てて対向する正面板と、前記正面板の左右端から前記仮設トレイに向かって略垂直に延びる左右の側板とを有し、前記正面板の上下方向の長さは前記一対の支柱の上下方向の長さよりも短く、前記左右の側板の上下方向の長さは前記正面板の上下方向の長さよりも短く、前記囲いユニットが前記支柱ユニットに取り付けられた状態において、前記正面板の上端は前記一対の支柱の上端と略同じ位置にある一方、前記正面板の下端は前記一対の支柱の下端よりも高い位置にあり、前記左右の側板の上端は前記正面板の上端と略同じ位置にある一方、前記左右の側板の下端は前記正面板の下端よりも高い位置にあり、前記支柱ユニットは、前記底板の上面に前記仮設トイレが載置されて固定され、前記囲いユニットは、前記左右の側板のうち前記正面板とは反対側の各端部が前記一対の支柱に装着されて前記支柱ユニットに取り付けられることを特徴とする仮設トイレ用目隠しユニットを提供している。
【００１２】
また、前記底板は２枚に分かれており、前記一対の支柱は、各底板から上方に延びるのが好ましい。
【００１３】
また、前記囲いユニットが前記支柱ユニットに取り付けられた状態において、前記正面板の上下方向の長さは、前記囲いユニットの内側に存在する利用者を正面から見た場合に前記利用者の少なくとも上半身を遮蔽することが可能な長さを有し、前記左右の側板の上方方向の長さは、当該利用者を左右側方から見た場合に前記利用者の少なくとも胸部から上側を遮蔽することが可能な長さを有するのが好ましい。
【００１４】
また、前記左右の側板の下方には、目隠し用シートが設けられ、前記目隠し用シートの上端は、前記左右の側板の下端に対して前記目隠し用シートが揺動可能になるように接続され、前記目隠し用シートの下端は、前記正面板の下端と略同じ位置にあり、前記目隠し用シートの下端には、前記目隠し用シートを張った状態に保つためのおもりが設けられているのが好ましい。
【００１５】
また、前記目隠し用シートには、上下方向のスリットが少なくとも１つ形成されているのが好ましい。
【００１６】
また、前記正面板及び前記左右の側板は、穴が形成されたメッシュ構造を有するのが好ましい。
【００１７】
また、前記一対の支柱の上端側と前記仮設トイレ用目隠しユニットの外部に位置する固定位置とを連結するワイヤーと、前記ワイヤーの長さ又は張力を調整する調整部とをさらに備えるのが好ましい。
【００１８】
また、本発明は、仮設トイレ用目隠しユニットを仮設トイレに取り付ける、仮設トイレ用目隠しユニットの取付方法であって、前記支柱ユニットが設置場所に配置され、前記仮設トイレが前記底板の上面に載置され且つ前記一対の支柱の間に配置され、前記左右の側板のうち前記正面板とは反対側の各端部が前記一対の支柱に装着されて取り付けられることを特徴とする、仮設トイレ用目隠しユニットの取付方法を更に提供している。
【００１９】
また、本発明は、仮設トイレ用目隠しユニットを仮設トイレとともに運搬する、仮設トイレ用目隠しユニットの運搬方法であって、前記囲いユニットが取り付けられていない状態の前記支柱ユニットが運搬台に載置され、前記仮設トイレが前記支柱ユニットの前記底板の上面に載置され、前記支柱ユニットに取り付けられる状態とは上下逆転した状態の前記囲いユニットが前記仮設トイレの外側に配置されて運搬されることを特徴とする、仮設トイレ用目隠しユニットの運搬方法を更に提供している。
【発明の効果】
【００２０】
請求項１に記載の発明によれば、囲いユニットが正面板と左右の側板との三面を有するため、仮設トイレの入口を見る方向に依存することなく目隠しすることが可能である。また、支柱ユニットと囲いユニットとの２つのユニットに分かれているため、全体の大きさを左右する支柱ユニットの位置調整が一体型のものに比べて容易である。よって、仮設トイレの設置環境に応じて仮設トイレ用目隠しユニットを含む全体の大きさを調整することも可能である。
【００２１】
請求項２に記載の発明によれば、底板が２枚に分かれており、一対の支柱が各底板にそれぞれ立設されるため、長尺な１枚の底板を用いる場合に比べて、軽量化され持ち運びが容易であり、設置における自由度も増す。
【００２２】
請求項３に記載の発明によれば、囲いユニットの内側に存在する利用者をどの方向から視認した場合にも当該利用者の少なくとも胸部から上側を目隠しすることが可能である。また、利用者は、左右の側板の下側から無理のない体勢で仮設トイレに出入りすることも可能である。
【００２３】
請求項４に記載の発明によれば、左右の側板の下方に目隠し用シートが設けられるため、仮設トイレの入口を側方から視認した場合にも確実に目隠しすることが可能である。また、目隠し用シートは左右の側板の下端に対して揺動可能に接続されているため、利用者は、当該目隠し用シートを押しながら左右の側板の下側をくぐって仮設トイレに出入りすることが可能である。
【００２４】
請求項５に記載の発明によれば、上下方向のスリットが目隠し用シートに少なくとも１つ形成されているため、風によって目隠し用シートが受ける負荷を効率的に逃がすことが可能である。
【００２５】
請求項６に記載の発明によれば、仮設トイレの入口を目隠ししつつ、正面板及び左右の側板に投影される人影によって囲いユニットの内側に利用者が存在することを外部から認識することが可能である。
【００２６】
請求項７に記載の発明によれば、一対の支柱の上端側と仮設トイレ用目隠しユニットの外部に位置する固定位置とがワイヤーで連結されるため、仮設トイレ用目隠しユニットの安定性が向上し、転倒をより確実に防止することが可能である。
【００２７】
請求項８に記載の発明によれば、仮設トイレを設置する際に、仮設トイレ用目隠しユニットを含む全体の大きさを調整することができるため、比較的狭小なスペースであっても仮設トイレを設置することが可能である。
【００２８】
請求項９に記載の発明によれば、仮設トイレ用目隠しユニットを仮設トイレとともに簡易かつコンパクトに運搬することが可能である。
【図面の簡単な説明】
【００２９】
【図１】本発明の仮設トイレ用目隠しユニットが仮設トイレに設置された状態を示す図。
【図２】図１のＩＩ矢視図。
【図３】図２のＩＩＩ矢視図。
【図４】図２のＩV矢視図。
【図５】仮設トイレが支柱ユニットの底板に載置された状態を示す図。
【図６】仮設トイレ用目隠しユニットの運搬方法を説明するための図。
【図７】変形例に係る仮設トイレ用目隠しユニット示す図。
【図８】変形例に係る仮設トイレ用目隠しユニットの設置状況を示す図。
【図９】変形例に係るワイヤー及びターンバックルを説明するための図。
【図１０】仮設トイレを設置する設置場所の一例を示す図。
【発明を実施するための形態】
【００３０】
＜１．構成＞
【００３１】
本発明の実施形態による仮設トイレ用目隠しユニットについて図１乃至図７に基づき説明する。仮設トイレ用目隠しユニットは、仮設トイレの入口付近を外部から視認できないように目隠し（遮蔽）するための付帯設備（付属品）である。
【００３２】
図１においては、仮設トイレ用目隠しユニット１が仮設トイレ４に設置された状態が示されている。以下では、仮設トイレ４の入口４Ｅの側を正面として説明する。
【００３３】
図１に示されるように、仮設トイレ用目隠しユニット１は、支柱ユニット２と、支柱ユニット２に対して取り外し可能な囲いユニット３とを備えて構成される。仮設トイレ用目隠しユニット１が仮設トイレ４に設置されると、囲いユニット３は仮設トイレ４の入口４Ｅ付近を外部から視認できないように遮蔽（目隠し）する。これにより、囲いユニット３の内側に存在する利用者を外部から認識し辛くなり、当該利用者のプライバシーが保護される。
【００３４】
まず、図１、図２及び図４を参照しつつ、支柱ユニット２について説明する。図１に示されるように、支柱ユニット２は、底板２１と、底板２１に立設する支柱２３と、支柱２３を支持する支持棒２５とを備えて構成される。
【００３５】
より詳細には、図２に示されるように、支柱ユニット２は、一対の支柱ユニット２Ｌ，２Ｒとして構成される。左側に配置される支柱ユニット２Ｌは、底板２１Ｌと支柱２３Ｌと支持棒２５Ｌとを備えて構成され、右側に配置される支柱ユニット２Ｒは、底板２１Ｒと支柱２３Ｒと支持棒２５Ｒとを備えて構成される。
【００３６】
なお、説明簡略化の都合上、一対の支柱ユニット２Ｌ，２Ｒについては、一方のみを説明し、もう一方の説明を省略する箇所がある。
【００３７】
図１に示されるように、底板２１は、矩形状の平らな鉄板によって構成され、支柱ユニット２全体を支持する。
【００３８】
詳細には、底板２１の下面は、地面等の仮設トイレ４を設置する場所の設置面に接して支柱ユニット２全体を支持する。また、底板２１の上面には、支柱２３の下端が溶接されるとともに、支持棒２５の下端が溶接されている。
【００３９】
後に詳述するように、底板２１の上面には仮設トイレ４が載置されることから、底板２１は、仮設トイレ４を載置可能な大きさ（面積）を有している。
【００４０】
支柱２３は、底板２１の上面から上方に向けて仮設トイレ４と略同じ高さまで延びる角柱の部材である。支柱２３は、仮設トイレ４と略同じ高さ（ここでは約１７５ｃｍ）を有している。
【００４１】
また、図４に示されるように、支柱２３（２３Ｒ）には、挿通孔２３１（２３１Ｒ）が上下方向の中央よりもやや上側に形成され、挿通孔２３３（２３３Ｒ）が上端近傍に形成されている。なお、図示は省略するが、もう一方の支柱２３Ｌにも、同じ位置に２箇所の挿通孔（不図示）が形成されている。
【００４２】
挿通孔２３１Ｒ，２３３Ｒには、後に詳述するように、囲いユニット３の右側板３Ｒに設けられた被挿通部材３１Ｒ，３３Ｒが挿通される。同様に、支柱２３Ｌに形成された２箇所の挿通孔（不図示）には、囲いユニット３の左側板３Ｌに設けられた２つの被挿通部材（不図示）が挿通されている。
【００４３】
支持棒２５は、底板２１と支柱２３とを接続して支柱２３を支持するための鉄製の棒状部材である。支持棒２５の下端は底板２１に溶接され、支持棒２５の上端は支柱２３に溶接されている。
【００４４】
続いて、図１乃至図４を参照しながら、囲いユニット３について説明する。図１に示されるように、囲いユニット３は、正面板３Ｆと、正面板３Ｆの左右端から仮設トイレ４に向かって略垂直に延びる左右の側板３Ｌ，３Ｒとを備えて構成される。図３に示されるように、囲いユニット３は、正面板３Ｆ及び左右の側板３Ｌ，３Ｒの三面によって上面視コの字形状を有している。
【００４５】
図１に示されるように、正面板３Ｆは、支柱ユニット２に取り付けられた状態において、仮設トイレ４の入口４Ｅ側に空間を隔てて対向する板部材である。
【００４６】
正面板３Ｆの高さ（上下方向の長さ）は、支柱ユニット２Ｌ，２Ｒの高さ（上下方向の長さ）よりも短い。
【００４７】
図２に示されるように、正面板３Ｆの上端は支柱ユニット２Ｌ，２Ｒの上端と略同じ位置にある一方、正面板３Ｆの下端は支柱ユニット２Ｌ，２Ｒの下端よりも高い位置にある。ここでは、正面板３Ｆの下端が約６５ｃｍの高さに位置し、正面板３Ｆの上端が約１７５ｃｍの高さに位置するものとする。このため、正面板３Ｆの上下方向の長さは、囲いユニット３の内側に存在する利用者を正面から見た場合に、当該利用者の少なくとも上半身を遮蔽することが可能な長さを有している。ここで、利用者は、一般的な日本人の成人男女を想定している。
【００４８】
また、正面板３Ｆには、上下方向の中央よりもやや下側において２箇所の持ち手３３が設けられている。持ち手３３は、正面板３Ｆが単体で持ち運ばれる場合に作業者によって把持される部分である。
【００４９】
次に、左右の側板３Ｌ，３Ｒについて説明する。左右の側板３Ｌ，３Ｒは、正面板３Ｆの左右端から仮設トイレ４に向かって略垂直に延びる一対の板部材であり、ここでは、左右対称に構成されている。
【００５０】
左右の側板３Ｌ，３Ｒの高さ（上下方向の長さ）は、正面板３Ｆの高さ（上下方向の長さ）よりも短い。
【００５１】
図４に示されるように、左右の側板３Ｌ，３Ｒの上端は正面板３Ｆの上端と略同じ位置にある一方、左右の側板３Ｌ，３Ｒの下端は正面板３Ｆの下端よりも高い位置にある。ここでは、左右の側板３Ｌ，３Ｒの下端が設置面から約１１３ｃｍの高さに位置し、左右の側板３Ｌ，３Ｒの上端が約１７５ｃｍの高さに位置するものとする。このため、左右の側板３Ｌ，３Ｒの上下方向の長さは、囲いユニット３の内側に存在する利用者を側方から視認した場合に、当該利用者の少なくとも胸部から上方を遮蔽することが可能な長さを有している。なお、上述のとおり、利用者は、一般的な日本人の成人男女を想定している。
【００５２】
また、図４に示されるように、右側板３Ｒには、円柱状の被挿通部材３１Ｒ，３３Ｒが上下２箇所に設けられている。具体的には、被挿通部材３１Ｒ，３３Ｒは、右側板３Ｒのうち正面板３Ｆとは反対側の端部から正面板３Ｆから離れる側に突出している。
【００５３】
囲いユニット３を支柱ユニット２に装着する際に、被挿通部材３１Ｒ，３３Ｒは、それぞれ、支柱２３Ｒに形成された挿通孔２３１Ｒ，２３３Ｒに挿通されて固定される。詳細には、上側の被挿通部材３３Ｒが挿通孔２３３Ｒに挿通した状態で抜け止め部材５が装着され固定される。
【００５４】
ここでは、図４に示されるように、抜け止め部材５として２本の抜け止めピンが用いられている。ただし、これに限定されず、抜け止め部材５としてワイヤー等の別の部材を用いて固定してもよい。
【００５５】
なお、詳細な説明は省略するが、反対側の左側板３Ｌにも被挿通部材（不図示）が上下２箇所に設けられており、反対側の支柱２３Ｌの挿通孔（不図示）に挿通され、抜け止め部材（不図示）によって固定される。
【００５６】
また、本実施形態では、図１に示されるように、正面板３Ｆ及び左右の側板３Ｌ，３Ｒは、穴が形成されたメッシュ構造を有している。そのため、仮設トイレ４の入口を目隠ししつつ、正面板３Ｆ及び左右の側板３Ｌ，３Ｒに投影される人影によって囲いユニット３の内側に存在する利用者を外部から認識することが可能である。また、メッシュ構造によって、囲いユニット３が軽量化されると共に、囲いユニット３の内側領域への採光としても機能する。
【００５７】
以上のような仮設トレイ用目隠しユニット１によれば、囲いユニット３が正面板３Ｆと左右の側板３Ｌ，３Ｒとの三面を有するため、仮設トイレ４の入口４Ｅを見る方向に依存することなく目隠しすることが可能である。
【００５８】
また、仮設トレイ用目隠しユニット１が支柱ユニット２と囲いユニット３との２つのユニットに分かれているため、全体の大きさを左右する支柱ユニット２の位置調整が一体型のものに比べて容易である。よって、仮設トイレ４の設置環境に応じて仮設トイレ用目隠しユニット１を含む全体の大きさを調整することが可能である。
【００５９】
特に、仮設トイレ４の設置スペースが限定される狭小場所であっても、支柱ユニット２の位置を調整し、囲いユニット３の正面側からの突出を抑えることにより、仮設トイレ４及び仮設トイレ用目隠しユニット１を狭小場所に設置することが可能である。
【００６０】
また、底板２１Ｌ，２１Ｒが２枚に分かれており、一対の支柱２３Ｌ，２３Ｒが各底板２１Ｌ，２１Ｒにそれぞれ立設されるため、長尺な１枚の底板を用いる場合に比べて、軽量化されて持ち運びが容易になり、設置における自由度も増す。
【００６１】
また、囲いユニット３の内側に存在する利用者をどの方向から視認した場合であっても当該利用者の少なくとも胸部から上側を目隠ししつつ、利用者は左右の側板３Ｌ，３Ｒの下側から無理のない体勢で仮設トイレ４に出入りすることが可能である。
【００６２】
＜２．仮設トイレ用目隠しユニットの取付方法＞
【００６３】
次に、仮設トイレ用目隠しユニット１を仮設トイレ４に取り付ける、仮設トイレ用目隠しユニット１の取付方法について説明する。
【００６４】
まず、作業者は、仮設トイレ４を設置する場所の設置スペースを確認した上で、支柱ユニット２の配置位置を決定し、支柱ユニット２を配置する。
【００６５】
図１に示されるように、一対の支柱ユニット２Ｌ，２Ｒが仮設トイレ４の入口４Ｅ側に近い位置に配置された場合、支柱ユニット２に装着される囲いユニット３が正面から比較的大きく突出する。一方、支柱ユニット２が図１の状態よりも仮設トイレ４の背面側に寄った位置に配置されると、囲いユニット３の突出度合いが低減される。
【００６６】
そのため、仮設トイレ４を比較的広い場所に配置する場合は、図１に示されるように囲いユニット３を正面から大きく突出させるべく、支柱ユニット２が仮設トイレ４の入口４Ｅ側に近い位置に配置される。これにより、設置場所に余裕がある場合には、囲いユニット３の内側の領域を大きく確保することができる。
【００６７】
一方で、仮設トイレ４を比較的狭い場所（狭小スペース）に配置する場合は、囲いユニット３の突出度合いを低減すべく、支柱ユニット２が仮設トイレ４の入口４Ｅ側よりも背面側に寄った位置に配置される。これにより、囲いユニット３の内側の領域が狭くなるものの、狭小スペースに全体を収めることが可能である。
【００６８】
支柱ユニット２Ｌ，２Ｒが配置されると、図５に示されるように仮設トレイ４を底板２１Ｌ，２１Ｒに載置しつつ、支柱２３Ｌ，２３Ｒの間に配置する。仮設トイレ４が底板２１Ｌ，２１Ｒに載置されることにより、支柱ユニット２Ｌ，２Ｒは仮設トイレ４の自重によって固定される。
【００６９】
最後に、囲いユニット３が支柱ユニット２に装着されて取り付けられる。具体的には、右側板３Ｒの被挿通部材３１Ｒ，３３Ｒが支柱２３Ｒに形成された挿通孔２３１Ｒ，２３３Ｒに挿通され、抜け止め部材５が施される。同様に、左側板３Ｌの被挿通部材（不図示）が支柱２３Ｌに形成された挿通孔（不図示）に挿通され、抜け止め部材（不図示）が施される。
【００７０】
このような仮設トイレ用目隠しユニット１の取付方法によれば、仮設トイレ４を設置する際に、仮設トイレ用目隠しユニット１を含む全体の大きさを調整することができるため、比較的狭小なスペースであっても仮設トイレ４を設置することが可能である。
【００７１】
＜３．仮設トイレ用目隠しユニットの運搬方法＞
【００７２】
続いて、仮設トイレ用目隠しユニット１を仮設トイレ４とともに運搬する、仮設トイレ用目隠しユニット１の運搬方法について説明する。なお、仮設トイレ用目隠しユニット１の運搬方法には２つの方法がある。以下、２つの方法について順次に説明する。
【００７３】
１つ目は、「支柱ユニット２、囲いユニット３、仮設トイレ４」の順序で運搬台に載置して運搬する方法である。まず、囲いユニット３が支柱ユニット２Ｌ，２Ｒに取り付けられている場合は、囲いユニット３が支柱ユニット２Ｌ，２Ｒから取り外される。
【００７４】
続いて、囲いユニット３が取り外された（囲いユニット３が取り付けられていない状態の）支柱ユニット２Ｌ，２Ｒが運搬台に載置される。その際、支柱ユニット２Ｌ，２Ｒは、囲いユニット３及び仮設トイレ４を支柱２３Ｌと支柱２３Ｒとの２本の間に配置できる程度に離した状態で載置される。
【００７５】
次に、支柱ユニット２に取り付けられる状態とは上下逆転した状態の囲いユニット３が支柱２３Ｌと支柱２３Ｒとの間に配置されるように運搬台に載置される。
【００７６】
最後に、仮設トイレ４が囲いユニット３の内側に載置されるように、仮設トレイ４が支柱ユニット２Ｌ，２Ｒの底板２１Ｌ，２１Ｒの上面に載置される。その結果、支柱ユニット２、囲いユニット３及び仮設トイレ４は、図６に示す運搬可能な状態となる。
【００７７】
２つ目は、「支柱ユニット２、仮設トイレ４、囲いユニット３」の順序で運搬台に載置して運搬する方法である。１つ目の方法とは、仮設トイレ４を囲いユニット３よりも先に載置する点において相違する。
【００７８】
最初は、１つ目の方法と同様に、囲いユニット３が取り付けられていない状態の支柱ユニット２Ｌ，２Ｒが運搬台に載置される。
【００７９】
次に、仮設トイレ４が底板２１Ｌ，２１Ｒの上面に載置される。
【００８０】
最後に、支柱ユニット２に取り付けられる状態とは上下逆転した状態の囲いユニット３が仮設トイレ４の外側かつ支柱２３Ｌと支柱２３Ｒとの間に配置されるように運搬台に載置される。その結果、支柱ユニット２、囲いユニット３及び仮設トイレ４は、図６に示す運搬可能な状態となる。
【００８１】
このような仮設トイレ用目隠しユニット１の運搬方法によれば、２つの方法のいずれを採用した場合も、仮設トイレ用目隠しユニット１を仮設トイレ４とともに簡易かつコンパクトに運搬することが可能である。
【００８２】
＜４．変形例＞
【００８３】
本発明による仮設トイレ用目隠しユニットは上述した実施の形態に限定されず、特許請求の範囲に記載した範囲で種々の変形や改良が可能である。
【００８４】
例えば、上記実施形態では、左右の側板３Ｌ，３Ｒの下方に何も設けられない場合を例示したが（図４参照）、これに限定されず、図７に示されるように目隠し用シート６が設けられるようにしてもよい。
【００８５】
以下、図７を参照しながら、左右の側板３Ｌ，３Ｒの下方に目隠し用シート６が設けられる変形例について詳細に説明する。
【００８６】
目隠し用シート６の上端は、右側板３Ｒの下端に対して目隠し用シート６が揺動可能になるように接続される。また、目隠し用シート６は、上下方向に関し、下端が正面板３Ｆの下端と略同じ位置になる長さを有している。
【００８７】
目隠し用シート６の下端には、目隠し用シート６を張った状態に保つための棒状のおもり６１（破線）が設けられている。また、目隠し用シート６には上下方向のスリット６３が２箇所に形成されており、目隠し用シート６が３分割されている。なお、図７では、説明の都合上、３分割された目隠し用シート６のうち左側部分のみ図示しているが、実際には、目隠し用シート６は中央部分及び右側部分にも存在する。
【００８８】
また、この変形例では、スリット６３が目隠し用シート６に２箇所に形成されている場合を例示したが、これに限定されず、１箇所あるいは３箇所以上形成されるようにしてもよい。
【００８９】
なお、目隠し用シート６としては、メッシュシート１類が用いられる。メッシュシート１類は、ポリエステル素材のシートであり、そのシートのみで落下物や飛散物を受け止める強度を有するものである。
【００９０】
上記の変形例によれば、仮設トイレ４の入口４Ｅ（図１）を側方から視認した場合であっても、左右の側板３Ｌ，３Ｒ及びその下方に設けられた目隠し用シート６によって、入口４Ｅ付近をより確実に目隠しすることが可能である。
【００９１】
また、目隠し用シート６は左右の側板３Ｌ，３Ｒの下端に対して揺動可能に接続されているため、仮設トイレ４の利用者は、目隠し用シート６を手で押しながら左右の側板３Ｌ，３Ｒの下側をくぐって仮設トイレ４に出入りすることが可能である。
【００９２】
さらに、目隠し用シート６に上下方向のスリットが２箇所形成されているため、風によって目隠し用シート６が受ける負荷を効率的に逃がすことが可能である。
【００９３】
また、上記実施形態では、仮設トイレ用目隠しユニット１を含む仮設トレイ４を地面に設置する場合を例示したが、これに限定されない。
【００９４】
例えば、図８に示すように、仮設トイレ用目隠しユニット１を含む仮設トレイ４を軽トラック等の荷台に設置することも可能である。この場合も、上記実施形態と同様に、支柱ユニット２の配置位置を調整することによって囲いユニット３の突出度合いを調整することが可能である。
【００９５】
ただし、図８及び図９に示されるように、支柱ユニット２の支柱２３の上端に設けられた挿通用金具２３５と、軽トラック７のあおり７１に設けられたフック７１０とが被覆ワイヤー２Ｗを用いて連結される点においては上記実施形態と相違する。
【００９６】
図９に示されるように、被覆ワイヤー２Ｗは、挿通用金具２３５に挿通され且つフック７１０に掛けられ、両端部がターンバックル２Ｔによって連結される。
【００９７】
被覆ワイヤー２Ｗの各端部は、いずれも折り返された状態でワイヤークリップ２Ｃによって固定される。このため、被覆ワイヤー２Ｗの各端部をターンバックル２Ｔのフックに掛けることができる。
【００９８】
ここでは、ターンバックル２Ｔは、被覆ワイヤー２Ｗの長さ（張力）を調節するための公知の器具で構成されている。金属製の胴の両端にネジ山が切られており、一方は右ネジ、もう一方は左ネジ（逆ネジ）で構成されている。この胴を回転させることで両端に取り付けられたボルトが締め込まれたり、緩められたりし、被覆ワイヤー２Ｗの長さ（張力）が調節される。
【００９９】
上述のように、図８の上下図で示されるように、仮設トイレ４を設置する設置環境（路肩に設置する場合は路肩スペース等）に応じて支柱ユニット２の配置位置が調整される。支柱ユニット２の配置位置が変更されると、挿通用金具２３５（図９）からフック７１０（図９）までの長さも変わる。その際、ターンバックル２Ｔを用いれば、被覆ワイヤー２Ｗの長さを調整できる。
【０１００】
このように、本変形例によれば、支柱ユニット２と軽トラック７とが被覆ワイヤー２Ｗにより連結されるため、仮設トイレ４に装着される仮設トイレ用目隠しユニット１の安定性が向上し、転倒をより確実に防止することが可能である。
【０１０１】
また、被覆ワイヤー２Ｗの両端がターンバックル２Ｔにより接続されるため、支柱ユニット２の支柱２３の位置が変更されたとしても、被覆ワイヤー２Ｗの長さ（張力）を調整し、被覆ワイヤー２Ｗを常に張った状態に保つことが可能である。
【０１０２】
なお、本変形例では、請求項７にかかる固定位置の一例として、軽トラック７のあおり７１に設けられるフック７１０を例示したが、これに限定されない。仮設トイレ用目隠しユニット１の外部であり、かつ、被覆ワイヤー２Ｗを掛けられる位置であれば、その他の場所を固定位置としてもよい。
【０１０３】
また、上記実施形態では、囲いユニット３を支柱ユニット２に装着する際に、抜け止め部材５によって囲いユニット３及び支柱ユニット２が固定される場合を例示したが、抜け止め部材５による固定は必ずしも必須ではない。
【０１０４】
例えば、抜け止め部材５を設けずに、右側板３Ｒの被挿通部材３１Ｒ，３３Ｒを支柱２３Ｒに形成された挿通孔２３１Ｒ，２３３Ｒに挿通させ、かつ、左側板３Ｌの被挿通部材（不図示）を支柱２３Ｌに形成された挿通孔（不図示）に挿通させるだけでもよい。この場合も、囲いユニット３は自重によって支柱ユニット２に密着した状態を維持するため、囲いユニット３を支柱ユニット２に装着して取り付けることができる。ただし、上記実施形態のように抜け止め部材５を用いて両者を固定するのがより安全であることは言うまでもない。
【０１０５】
また、上記実施形態では、正面板３Ｆ及び左右の側板３Ｌ，３Ｒがメッシュ構造を有する場合を例示したが、これに限定されず、穴が形成されていない板部材として構成するようにしてもよい。
【産業上の利用可能性】
【０１０６】
以上のように本発明にかかる仮設トイレ用目隠しユニットは、仮設トイレを目隠しするための付帯設備に適している。
【符号の説明】
【０１０７】
１  仮設トイレ用目隠しユニット、２Ｌ，２Ｒ  支柱ユニット、３  囲いユニット、
３Ｆ  正面版、３Ｌ，３Ｒ  左右の側板、４  仮設トイレ、４Ｅ  入口、
５  抜け止め部材、６  目隠し用シート、２１Ｌ，２１Ｒ  底板、
２３Ｌ，２３Ｒ  支柱、２５Ｌ，２５Ｒ  支持棒、３１Ｒ，３３Ｒ  被挿通部材、
３３  持ち手、６１  おもり、６３  スリット、２３１Ｒ，２３３Ｒ  挿通孔
【図１】
2019127700.tif 000003
【図２】
2019127700.tif 000004
【図３】
2019127700.tif 000005
【図４】
2019127700.tif 000006
【図５】
2019127700.tif 000007
【図６】
2019127700.tif 000008
【図７】
2019127700.tif 000009
【図８】
2019127700.tif 000010
【図９】
2019127700.tif 000011
【図１０】
2019127700.tif 000012